(57)【要約】【課題】カバーとオイルパン上のマットや油とが接触している場合であっても、火種が燃焼し続けることが防止されるオイルパン用カバーと、このオイルパン用カバーを用いたオイルパンとを提供する。【解決手段】オイルパン本体１０に直に又は吸油材を介してカバー１が載置されている。カバー１は、上方から落下してきたオイルを通過又は透過させると共に、火種を受け止める機能を有した網状体又は多孔板よりなる上面部１ａと、網状体又は多孔板よりなる下面部１ｂと、これら上面部１ａと下面部１ｂとを連結する脚部１ｃとを有している。上面部１ａと下面部１ｂとの間が空洞部１ｄとなっている。【選択図】図５
2010203460.tif 000002
【特許請求の範囲】
【請求項１】
オイルパンに設置されるカバーにおいて、厚み方向の少なくとも途中部分に空洞部が設けられていることを特徴とするオイルパン用カバー。
【請求項２】
請求項１において、相互間に空洞部をあけて配置された複数枚の網状体又は多孔板を備えてなることを特徴とするオイルパン用カバー。
【請求項３】
請求項２において、２枚の網状体又は多孔板が、相互間に１〜２０ｍｍの間隔をあけて配置されていることを特徴とするオイルパン用カバー。
【請求項４】
請求項１において、鎖状体を板状に保形してなる保形体よりなることを特徴とするオイルパン用カバー。
【請求項５】
オイルを受けるオイルパン本体と、火種が落下することを防止するためのカバーとを備えてなるオイルパンにおいて、
該カバーが請求項１ないし４のいずれか１項に記載のカバーであることを特徴とするオイルパン。
【発明の詳細な説明】
【技術分野】
【０００１】
本発明はオイルパン及びそのためのカバーに係り、特にエスカレーターの廃油受け等に用いられるオイルパン及びそのためのカバーに関する。
【背景技術】
【０００２】
従来、エスカレーターの廃油受け用オイルパンから廃油を回収するには、エスカレーターのメンテナンス作業時に、作業員が現場にてオイルパンからウェス等で廃油を吸着させて回収するか、吸引機で廃油を吸引して回収していた。
【０００３】
従来の廃油回収方法では、作業が煩雑で回収作業に比較的長い時間を要する。このため、メンテナンスのためのエスカレーターの停止時間が長いという欠点がある。又、エスカレーターの利用者が喫煙し、火のついた吸い殻がオイルパンに入って引火することもあった。
【０００４】
特開平１１−３０３９６には、このような問題点を解決し、パン上の廃油等のオイルを短時間で容易に回収することができ、しかも引火を防止することができるオイルパンとして、オイルを受けるオイルパン本体と、該オイルパン本体内に敷いたオイル吸着用のマットと、該マット上に火種が落下することを防止するためのカバーとを備えてなるオイルパンが提供されている。
【０００５】
第８図は同号公報の図１のオイルパンを示す断面図である。
【０００６】
このオイルパン２１は、上部が開放した容器形状のオイルパン本体２２内にオイル吸着用マット２３を敷き、このオイル吸着用マット２３に火種落下防止用のカバー２４を被せたものである。
【０００７】
このようなオイルパンにあっては、油を吸着したマットを該パンから取り出すことにより、油を短時間で容易に回収することができる。
【０００８】
また、廃油を吸着したマットにタバコの吸い殻等の火種が接触しても、マットが火種の落下防止用のカバーで覆われているため、オイル吸着用のマットにタバコの吸い殻等の火種が接触して発火することが防止される。
【０００９】
このカバーとしては、具体的には、ステンレス等の金網、パンチングメタルが例示されている（特開平１１−３０３９６の００１４段落）。
【先行技術文献】
【特許文献】
【００１０】
【特許文献１】特開平１１−３０３９６
【発明の概要】
【発明が解決しようとする課題】
【００１１】
上記特開平１１−３０３９６のオイルパンにあっては、カバーとマットとが直接に接触している場合は、毛細管現象によってカバー上に置いた火種にオイルが供給され、火種が灯心となって燃焼し続けることがあった。
【００１２】
本発明は、カバーとオイルパン上のマットや油とが接触している場合であっても、火種が燃焼し続けることが防止されるオイルパン用カバーと、このオイルパン用カバーを用いたオイルパンとを提供することを目的とする。
【課題を解決するための手段】
【００１３】
請求項１のオイルパン用カバーは、オイルパンに設置されるカバーにおいて、厚み方向の少なくとも途中部分に空洞部が設けられていることを特徴とするものである。
【００１４】
請求項２のオイルパン用カバーは、請求項１において、相互間に空洞部をあけて配置された複数枚の網状体又は多孔板を備えてなることを特徴とするものである。
【００１５】
請求項３のオイルパン用カバーは、請求項２において、２枚の網状体又は多孔板が、相互間に１〜２０ｍｍの間隔をあけて配置されていることを特徴とするものである。
【００１６】
請求項４のオイルパン用カバーは、請求項１において、鎖状体を板状に保形してなる保形体よりなることを特徴とするものである。
【００１７】
請求項５のオイルパンは、オイルを受けるオイルパン本体と、火種が落下することを防止するためのカバーとを備えてなるオイルパンにおいて、該カバーが請求項１ないし４のいずれか１項に記載のカバーであることを特徴とするものである。
【発明の効果】
【００１８】
本発明のオイルパン用カバーは、上方から落下してきたオイルを通過ないし透過させる機能を有している。また、このカバーは、上方から落下してきた火種を受け止め、該火種をマットや油に接触させないようにする機能を有している。
【００１９】
本発明のオイルパン用カバーは、厚み方向の少なくとも途中部分に空洞部が設けられているので、このカバーがマットの上面に直接に接触していても、オイルがマットから供給され続けることがなく、カバー上の火種は速やかに消火する。
【図面の簡単な説明】
【００２０】
【図１】（ａ）図は実施の形態に係るカバーの斜視図、（ｂ）図は（ａ）図のＢ−Ｂ線断面図である。
【図２】（ａ）図は別の実施の形態に係るカバーの斜視図、（ｂ）図は（ａ）図のＢ−Ｂ線断面図である。
【図３】（ａ）図はさらに別の実施の形態に係るカバーの斜視図、（ｂ）図は（ａ）図のＢ−Ｂ線断面図である。
【図４】異なる実施の形態に係るカバーの平面図である。
【図５】実施の形態に係るオイルパンの断面図である。
【図６】実施の形態に係るオイルパンの断面図である。
【図７】比較例に係るオイルパンの断面図である。
【図８】従来例に係るオイルパンの断面図である。
【発明を実施するための形態】
【００２１】
以下、図面を参照して実施の形態について説明する。
【００２２】
＜第１図のカバー＞
第１図のカバー１は、上方から落下してきたオイルを通過又は透過させると共に、火種を受け止める機能を有した網状体又は多孔板よりなる上面部１ａと、網状体又は多孔板よりなる下面部１ｂと、これら上面部１ａと下面部１ｂとを連結する脚部１ｃとを有している。上面部１ａと下面部１ｂとの間が空洞部１ｄとなっている。この実施の形態では脚部１ｃも網状体又は多孔板にて構成されているが、これに限定されない。
【００２３】
空洞部１ｄの高さｔは１〜２０ｍｍ特に２〜１０ｍｍ程度が好適であるが、これに限定されない。
【００２４】
＜第２図のカバー＞
第２図のカバー１Ａは、第１図のカバー１において、上面部１ａと下面部１ｂとの間に支柱部２を設けたものである。この支柱部２を設けたことにより、上面部１ａの撓みが防止される。支柱部２は網状体又は多孔板製であってもよく、別材料であってもよい。
【００２５】
＜第３図のカバー＞
第３図のカバー４は、それぞれ網状体又は多孔板よりなるカバーパーツ５，６を組み合わせたものである。カバーパーツ５，６は、下向きコ字形であり、長方形の主板部５ａ，６ａと、該主板部５ａ，６ａの長手方向の両端から立設された脚部５ｂ，６ｂとを有する。カバーパーツ６の主板部６ａはカバーパーツ５の主板部５ａよりも若干小さく、カバーパーツ５に内嵌め可能となっている。脚部６ｂの高さは脚部５ｂの高さよりも若干小さいものとなっている。カバーパーツ６をカバーパーツ５に内嵌し、主板部５ａ，６ａ間に空洞部４ａがあくように脚部５ｂ，６ｂを重ね合わせ、脚部５ｂ，６ｂ同士を溶接等によって固着することにより、カバー４が構成される。
【００２６】
＜第４図のカバー＞
第４図のカバー７は、チェーンを平たい板の上に、チェーンのループ部（輪状部）８同士の隙間ができるだけ小さくなるように敷き並べた後、ループ部８を細い針金９で結着して板状に保形したものである。ループ部８の内部と、ループ部８同士の間が空洞部となっている。ループ部８の大きさは、長径（内径）５〜２０ｍｍ程度、短径（内径）４〜１４ｍｍ程度が好ましい。
【００２７】
＜カバーの構成材料＞
このカバーは、不燃性ないし難燃性の材料とくに不燃性の材料にて構成されていることが好ましい。また、カバーは、好ましくはタバコの吸い殻等の火種の熱を吸収して放熱することで温度を下げて消火させることができるように、伝熱性に優れたものであることが好ましい。
【００２８】
このような特性を備えるカバーの素材としては、ステンレス、鉄、銅等の針金を織った金網やチェーンが好適であるが、アルミ箔、鋼板等の金属シートに適宜オイルの通路を設けたもの、例えばパンチングメタルや、これらを金網と組み合わせたものなどを用いることもできる。また、セラミックやガラスウールなども用いることができる。
【００２９】
網状体又は多孔板の１個の開口は、開口面積が０．０００９〜２５ｍｍ２特に０．０１〜７ｍｍ２程度であることが好ましい。開口の形状は、円形、楕円形、三角形、四角形、多角形などが例示される。
【００３０】
カバーの材料として金網を用いる場合は、織り方、目開き、針金の太さに特に制限はないが、平織、針金太さ１〜５ｍｍ、目開き０．５〜２ｍｍのものが好ましい。
【００３１】
＜オイルパン＞
本発明のオイルパンは、上記本発明のカバーを備えたものである。このオイルパンは吸油マットを備えていてもよく、吸油マットが省略され、オイルパン本体上に直にカバーが載置されたものであってもよい。
【００３２】
第５図はオイルパン本体１０の上にカバー１を直接に載置したオイルパンを示す縦断面図である。
【００３３】
第６図は、オイルパン本体１０の上に吸油マット１１を配置し、その上にカバー１を載置したオイルパンを示す縦断面図である。この第６図にあっては、カバー１の平面面積はマット１１の平面面積よりも大きく、カバー１はマット１１の上面の全体を覆っている。
【００３４】
オイル吸着材としては、ポリプロピレン製、カポック製、木綿製の油吸着材やウエスのほか、樹脂製、合成ゴム製の吸油剤や吸油ポリマー、一般的な不織布に、吸油剤を封入した油吸着材などが挙げられる。油吸着材として、不燃性または難燃性繊維からなるタイプを用いれば、燃焼の可能性をさらに小さくすることができる。
【００３５】
本発明のオイルパンは、特にエレベーターやエスカレーターの廃油回収用のオイルパンとして好適であるが、エレベーターやエスカレーターに限らず廃油や余剰オイルの回収を必要とする各種機械設備のオイルパンにも適用可能である。
【実施例】
【００３６】
以下に実施例及び比較例を挙げて本発明をより具体的に説明する。
【００３７】
以下の実施例及び比較例で使用した資材は次の通りである。
１）  潤滑油Ａ：mobilgear630  VG220  又は
Ｂ：日石製タービンオイルＶＧ３２
２）  油吸着材  ポリプロピレン製油吸着材（栗田工業（株）製「ロングクリンＦＥ−
１００」（登録商標）切断片（２２ｃｍ×１５ｃｍ×０．５ｃｍ）
３）  火種      １ｃｍ×１ｃｍ、厚さ１ｍｍの木綿片に潤滑油ＡまたはＢを十分に
吸油させた後二つ折りにし、ライターで着火させたもの。
４）  オイルパン本体  ３０ｃｍ×２０ｃｍ×深さ４ｃｍのもの
【００３８】
［実施例１］
カバーとして、ステンレス製、目開き１ｍｍ、針金太さ３ｍｍ、平織りの金網を第１図の通り二重に構成した二重金網を用いた。このカバーの上面寸法は２２５×１５３ｍｍ、高さは１０ｍｍである。
【００３９】
上記潤滑油Ａを３ｍｍ深さとなるようにオイルパン本体に注ぎ入れ、このカバーを設置した。次いで、上記の火種をこのカバーの上に載せて燃焼状況を観察した。その結果を表１に示す。
【００４０】
［実施例２］
カバーとして、チェーンを第４図の如く編組みしたチェーン保形体を用いた。
【００４１】
チェーンとしては、１個のループ部の長径１８ｍｍ、短径１２ｍｍ、１ｍ当りの重量２２ｇの鉄製のものを用い、針金として線径１ｍｍのもので結着した。カバーの大きさはおよそ２００ｍｍ×１５０ｍｍであり、平均的な厚みは約６ｍｍである。カバーの重量は３００ｇである。
【００４２】
このカバーを用いたこと以外は実施例１と同様にして燃焼試験を行った。結果を表１に示す。
【００４３】
［実施例３］
オイルパン本体の上に、潤滑油を入れることなく、第６図の如く上記の油吸着材（ただし、飽和まで潤滑油Ａを吸収させたもの）を敷き、その上に実施例１のカバーを載せた。その他は実施例１と同様にして燃焼試験を行った。結果を表１に示す。
【００４４】
［実施例４］
オイルパン本体の上に、潤滑油を入れることなく、第６図の如く上記の油吸着材（ただし、飽和まで潤滑油Ａを吸収させたもの）を敷き、その上に実施例２のカバーを載せた。その他は実施例１と同様にして燃焼試験を行った。結果を表１に示す。
【００４５】
［実施例５］
油吸着材として潤滑油を全く吸収させてない新品のものを用いたこと以外は実施例３と同様にして燃焼試験を行った。結果を表１に示す。
【００４６】
［実施例６］
油吸着材として潤滑油を全く吸収させてない新品のものを用いたこと以外は実施例４と同様にして燃焼試験を行った。結果を表１に示す。
【００４７】
［実施例７］
油として上記潤滑油Ｂを用いたこと以外は実施例３と同様にして燃焼試験を行った。結果を表１に示す。
【００４８】
［実施例８］
油として上記潤滑油Ｂを用いたこと以外は実施例４と同様にして燃焼試験を行った。結果を表１に示す。
【００４９】
［比較例１］
オイルパン本体に上記潤滑油Ａを深さ３ｍｍ仕入れた。カバーを用いずに、火種をこの油面に落し、燃焼状況を観察した。結果を表１に示す。
【００５０】
［比較例２］
実施例１において、カバーとしてステンレス製、目開き１ｍｍ、針金太さ３ｍｍ、平織りの１枚物の金網（２２５×１５３ｍｍ）を用いた他は実施例１と同様にして燃焼試験を行った。結果を表１に示す。
【００５１】
［比較例３］
オイルパン本体上に油吸着材（潤滑油Ａを飽和まで吸収させたもの）を置き、カバーを被せることなく火種を載せて燃焼状況を観察した。結果を表１に示す。
【００５２】
［比較例４］
オイルパン本体上に油吸着材（潤滑油Ａを飽和まで吸収させたもの）を置き、その上に比較例２の１枚物の金網を載せ、燃焼状況を観察した。結果を表１に示す。
【００５３】
［比較例５］
オイルパン本体上に、潤滑油を全く吸収させない新品の油吸着材を置き、カバーを被せることなく火種を載せて燃焼状況を観察した。結果を表１に示す。
【００５４】
［比較例６］
オイルパン本体上に、潤滑油を全く吸収させない新品の油吸着材を置き、その上に比較例２の１枚物の金網を載せ、燃焼状況を観察した。結果を表１に示す。
【００５５】
［比較例７］
油として潤滑油Ｂを用いたこと以外は比較例１と同様にして燃焼試験を行った。結果を表１に示す。
【００５６】
［比較例８］
油として潤滑油Ｂを用いたこと以外は比較例２と同様にして燃焼試験を行った。結果を表１に示す。
【００５７】
【表１】
2010203460.tif 000003
【００５８】
表１から明らかな通り、本発明例によると火種はいずれも約１分で消火した。これに対し、比較例のものはいずれも長時間燃え続けた。また、１枚物の金網では効果が不十分であることも認められた。
【符号の説明】
【００５９】
１，１Ａ，４，７，２４  カバー
１ｄ，４ｂ  空洞部
８  チェーンのループ部
９  針金
１０，２２  オイルパン本体
１１，２３  マット
【図１】
2010203460.tif 000004
【図２】
2010203460.tif 000005
【図３】
2010203460.tif 000006
【図４】
2010203460.tif 000007
【図５】
2010203460.tif 000008
【図６】
2010203460.tif 000009
【図７】
2010203460.tif 000010
【図８】
2010203460.tif 000011